(57)【要約】【課題】本体ベースの底面に清掃孔を設け、清掃具により手動でクロスフローファンを容易に清掃できる空気調和機を提供する。【解決手段】本体１の吸込口４と吹出口７とを結ぶ空気通路９に、熱交換器８と、両端に回転軸を備え、回転軸の一端がファンモータ１２に連結されたクロスフローファン１１とを設けた空気調和機において、本体１のベース２の下部に、ベース２の底面と空気通路９とを連通し、クロスフローファン１１と平行に左右に延伸し、一端に清掃具挿入口を備えた清掃孔１４を設け、クロスフローファン１１の他端の回転軸に、手動でクロスフローファン１１を回転させる回転ノブを設け、回転ノブに臨ませたベース２の側壁に開閉扉を設け、先端に清掃部１７ａ　を備えた棒状の清掃具１７を設け、清掃具挿入口に清掃具１７を挿入し、清掃具１７を手動により、清掃孔１４を左右に往復させると共に、回転ノブを回転させ、クロスフローファン１１を清掃する。【選択図】　図１
2004084977.tif 000002
【特許請求の範囲】
【請求項１】
前面が開放されたベースと、同ベースの前面に装着される前面パネルとで本体を構成し、同本体の前面上部に吸込口を、前面下部に吹出口を夫々設け、これら吸込口と吹出口とを結ぶ空気通路に、熱交換器と、左右に延び、両端に回転軸を備え、同回転軸の一端がファンモータに連結されたクロスフローファンとを設けてなる空気調和機において、
前記ベースの下部に、同ベースの底面と前記空気通路とを連通し、前記クロスフローファンと平行に左右に延伸し、一端に清掃具挿入口を備えた清掃孔を設けると共に、同清掃孔に清掃時のみ開く開閉蓋を設け、前記クロスフローファンの他端の回転軸に、手動で前記クロスフローファンを回転させる回転ノブを設けると共に、同回転ノブに臨ませた前記ベースの側壁に開閉扉を設ける一方、先端に清掃部を備えた棒状の清掃具を設け、前記清掃具挿入口に前記清掃具を挿入し、同清掃具を手動により、前記清掃孔を左右に往復させると共に、前記回転ノブを回転させることにより、前記クロスフローファンを清掃してなることを特徴とする空気調和機。
【請求項２】
前記清掃具をクランク状、又は湾曲状に形成すると共に、前記清掃孔を断面形状がクランク状、又は湾曲状に形成してなることを特徴とする請求項１に記載の空気調和機。
【請求項３】
前記清掃具挿入口に、前記清掃具を挿入した時、及び前記開閉扉を開けた時、前記クロスフローファンが停止するよう制御してなることを特徴とする請求項１に記載の空気調和機。
【発明の詳細な説明】
【０００１】
【発明の属する技術分野】
本発明は、空気調和機に係わり、より詳細には、クロスフローファンを容易に清掃することができる構造に関する。
【０００２】
【従来の技術】
従来の空気調和機（室内機）は、例えば図６で示すように、ベース２と、同ベース２の前面に装着され、前面上部に吸込グリルを備えた前面パネル３とからなる本体１の前面上部および上面に吸込口４を設け、前面下部に左右風向板群５及び上下風向板６を備えた吹出口７を設け、前記吸込口４と前記吹出口７とを結ぶ空気通路９に、エアフィルタ１３と、前部熱交換器８ａおよび上部熱交換器８ｂからなる熱交換器８及び、この熱交換器８の下方に設けられたドレンパン１０と、ファンモータ１２に連結されたクロスフローファン１１とを設けた構成となっている。
【０００３】
上記構成において、室内機本体１は、エアフィルタ１３により吸気された空気の清浄化を図っているが、それでも長時間経過するうちに小さな隙間から本体１の内部に埃が侵入し、この埃が熱交換器８やクロスフローファン１１に付着してしまう。そこで、前記熱交換器８は、下方に設けられたドレンパン１０により、熱交換器８で発生する結露水等を受けて、排水管（図示せず）により室外に排水するようになされているので、例えば水や化学清掃剤を用いて室内機内の清掃を行う場合、熱交換器８については清掃後の汚れた水や化学清掃剤はドレンパン１０で受けられ、排水管を介して室外に排水されるため問題なかった。
【０００４】
しかしながら、前記クロスフローファン１１は、起動時（回転開始時）等において付着した埃が舞上がり室内に吹出されるような場合があるので清掃することが望まれるが、ドレンパン１０で受ける等の対処がなされていないので、清掃後の汚れた水や化学清掃剤の流れ出しや飛散を受けるよう布を敷く等大がかりな準備が必要であり、手間がかかるといった問題を有していた。また、室内機本体１には清掃具を挿入する孔等が設けられていなので、クロスフローファン１１の清掃を行うことができないという問題があった。
【０００５】
【発明が解決しようとする課題】
本発明においては、上記の問題点に鑑み、本体ベースの底面に清掃孔を設け、清掃具により手動でクロスフローファンを容易に清掃することができる空気調和機を提供することを目的とする。
【０００６】
【課題を解決するための手段】
本発明は、上記課題を解決するため、前面が開放されたベースと、同ベースの前面に装着される前面パネルとで本体を構成し、同本体の前面上部に吸込口を、前面下部に吹出口を夫々設け、これら吸込口と吹出口とを結ぶ空気通路に、熱交換器と、左右に延び、両端に回転軸を備え、同回転軸の一端がファンモータに連結されたクロスフローファンとを設けてなる空気調和機において、
前記ベースの下部に、同ベースの底面と前記空気通路とを連通し、前記クロスフローファンと平行に左右に延伸し、一端に清掃具挿入口を備えた清掃孔を設けると共に、同清掃孔に清掃時のみ開く開閉蓋を設け、前記クロスフローファンの他端の回転軸に、手動で前記クロスフローファンを回転させる回転ノブを設けると共に、同回転ノブに臨ませた前記ベースの側壁に開閉扉を設ける一方、先端に清掃部を備えた棒状の清掃具を設け、前記清掃具挿入口に前記清掃具を挿入し、同清掃具を手動により、前記清掃孔を左右に往復させると共に、前記回転ノブを回転させることにより、前記クロスフローファンを清掃してなる構成となっている。
【０００７】
また、前記清掃具をクランク状、又は湾曲状に形成すると共に、前記清掃孔を断面形状がクランク状、又は湾曲状に形成してなる構成となっている。
【０００８】
また、前記清掃具挿入口に、前記清掃具を挿入した時、及び前記開閉扉を開けた時、前記クロスフローファンが停止するよう制御する構成となっている。
【０００９】
【発明の実施の形態】
以下、本発明の実施の形態を図面に基づいた実施例として詳細に説明する。
図１は本発明による空気調和機の断面図、図２はクロスフローファンを示す斜視図、図３は本発明による空気調和機を下方からみた外観図、図４は本発明による要部拡大断面図で、（Ａ）は清掃具挿入口に清掃具を挿入する前の状態、（Ｂ）は清掃孔に清掃具を挿入した後の状態を示した図である。
【００１０】
図において、１は本発明による壁掛け式の空気調和機本体、２は同本体１を構成するベース、３は同ベース２の前面に装着され、前面上部に吸込グリルを備えた前面パネル、４は前記本体１の前面上部および上面に設けられた吸込口、７は前記本体１の前面下部に設けられ、左右方向の吹出空気流を偏向させるための左右風向板群５と、上下方向の吹出空気流を偏向させるための上下風向板６とを備えた吹出口、８は前記吸込口４と前記吹出口７とを結ぶ空気通路９に設けられ、前部熱交換器８ａと上部熱交換器８ｂとからなる熱交換器、１０は同熱交換器８の下方に設けられたドレンパン、１１は前記空気通路９に設けられ、本体１の左右に延びて両端に回転軸１１ａ，１１ｂ　を備えたクロスフローファン、１２は同クロスフローファン１１の一端の回転軸１１ａ　に連結され、前記クロスフローファン１１を駆動するファンモータ、１３は本体１に吸気された空気の清浄化を図るエアフィルタである。
【００１１】
前記ベース２の下部に、同ベース２の底面と前記空気通路９とを連通し、前記クロスフローファン１１と平行に本体１の左右に延伸し、一端に清掃具挿入口１４ａ　を備えた清掃孔１４を設けると共に、同清掃孔１４に開閉蓋１８を設け、同開閉蓋１８は清掃時のみ開く構成とすることにより、空気調和機の運転時に送風が前記清掃孔１４から送出しないようになされている。
【００１２】
前記クロスフローファン１１の他端の回転軸１１ｂ　に、手動で前記クロスフローファン１１を回転させる回転ノブ１５を設けると共に、同回転ノブ１５に臨ませた前記ベース２の側壁に開閉扉１６を設け一方、先端にスポンジ、綿又はハケなどの清掃部１７ａ　を備え、下端に把手１７ｂ　を備えた棒状の清掃具１７を設けた構成となっている。
また、前記清掃具挿入口１４ａ　の近傍に、前記清掃具１７の挿脱を検知する挿入センサ１９を設けと共に、前記開閉扉１６の内側に、同開閉扉１６の開閉を検知するドアセンサ２０を設けた構成となっている。
【００１３】
上記構成において、前記清掃具挿入口１４ａ　に前記清掃具１７を挿入し、同清掃具１７の前記把手１７ｂ　を手動により、前記清掃孔１４を左右に往復させると共に、前記回転ノブ１５を回転させることにより、前記クロスフローファン１１を容易に清掃することができる。尚、前記清掃部１７ａ　は水洗いすることにより、何回も使用することができる。
また、図４（Ｂ）に示すように、前記清掃孔１４には前記清掃具１７が上下方向に動くよう、隙間Ｄがもうけられ、前記クロスフローファン１１の全体を幅広く清掃できるようになされている。
【００１４】
また、前記清掃具１７をクランク状、又は湾曲状に形成すると共に、前記清掃孔１４を断面形状がクランク状、又は湾曲状に形成した構成とすることにより、人の手指が奥に差し込めないため、安全性を確保することができる。また、屈曲部分により前記清掃部１７ａ　の差し込みが制限されるため、前記クロスフローファン１１を破損させることがなくなる。
【００１５】
また、前記清掃具挿入口１４ａ　に、前記清掃具１７を挿入した時、及び前記開閉扉１６を開けた時、前記クロスフローファン１１が停止するよう制御する構成とすることにより、清掃時の危険を防止し、安全性を充分確保することができる。
【００１６】
次に本発明による制御動作を図５に示すブロック図により説明する。
制御部２１は、前記挿入センサ１９により、前記清掃具１７が挿脱されたかどうかを検知する清掃具検知部２２と、前記ドアセンサ２０により、前記開閉扉１６が開閉されたかどうかを検知する開閉検知部２３と、これら両検知部からの検知信号により、前記ファンモータ１２の運転を制御するファン運転制御部２４と、同ファン運転制御部２４の制御信号により、前記ファンモータ１２を駆動制御する駆動部２５とから構成されている。
【００１７】
上記構成において、前記清掃具挿入口１４ａ　に、前記清掃具１７を挿入した時、前記清掃具検知部２２により、清掃具１７の挿入が検知され、また、前記開閉扉１６を開けた時、前記開閉検知部２３により、清掃することが検知され、前記クロスフローファン１１が停止するよう制御することにより、清掃時の危険を防止し、安全性を充分確保することができる。
【００１８】
以上説明したように、前記ベース２の下部に、同ベース２の底面と前記空気通路９とを連通し、前記クロスフローファン１１と平行に本体１の左右に延伸し、一端に清掃具挿入口１４ａ　を備えた清掃孔１４を設け、前記クロスフローファン１１の他端の回転軸１１ｂ　に、手動で前記クロスフローファン１１を回転させる回転ノブ１５を設けると共に、同回転ノブ１５に臨ませた前記ベース２の側壁に開閉扉１６を設け一方、先端に清掃部１７ａ　を備え、下端に把手１７ｂ　を備えた棒状の清掃具１７を設け、前記清掃具挿入口１４ａ　に前記清掃具１７を挿入し、同清掃具１７の前記把手１７ｂ　を手動により、前記清掃孔１４を左右に往復させると共に、前記回転ノブ１５を回転させることにより、前記クロスフローファン１１を容易に清掃することができる空気調和機となる。
【００１９】
【発明の効果】
以上本発明によれば、本体ベースの底面に清掃孔を設け、清掃具を清掃孔に挿入することにより、手動でクロスフローファンを容易に清掃することができ、かつ、清掃時の危険を防止し、安全性を充分確保することができる空気調和機となる。
【図面の簡単な説明】
【図１】本発明による空気調和機の側断面図である。
【図２】本発明による空気調和機の内部構造を示す斜視図である。
【図３】本発明による空気調和機を下方から見た斜視図である。
【図４】本発明による要部拡大断面図で、（Ａ）は清掃具の挿入前の図、（Ｂ）は清掃具の挿入後の図である。
【図５】本発明による制御ブロック図である。
【図６】従来例による空気調和機の断面図である。
【符号の説明】
１　空気調和機本体
２　ベース
３　前面パネル
４　吸込口
５　左右風向板群
６　上下風向板
７　吹出口
８　熱交換器
８ａ　前部熱交換器
８ｂ　後部熱交換器
９　空気通路
１０　ドレンパン
１１　クロスフローファン
１１ａ，１１ｂ　　駆動軸
１２　ファンモータ
１３　エアフィルタ
１４　清掃孔
１４ａ　清掃具挿入口
１５　回転ノブ
１６　開閉扉
１７　　清掃具
１７ａ　清掃部
１７ｂ　把手
１８　開閉蓋
１９　挿入センサ
２０　ドアセンサ
２１　制御部
２２　清掃具検知部
２３　開閉検知部
２４　ファン運転制御部
２５　駆動部
【図１】
2004084977.tif 000003
【図２】
2004084977.tif 000004
【図３】
2004084977.tif 000005
【図４】
2004084977.tif 000006
【図５】
2004084977.tif 000007
【図６】
2004084977.tif 000008